(57)【要約】【課題】  本発明は、片側エミッタレスランプになっても点滅動作することのないフィラメント検知回路を得ることにある。【解決手段】  前記ダイオード１５と抵抗１４の接続交点に陽極が接続され、前記抵抗６５とＰＮＰトランジスタ６６のベースの接続交点に陰極が接続されるダイオード８０を備える。  これにより、補助電源電圧をダイオード８０を介して、ＰＮＰトランジスタ６６に印可することにより蛍光ランプ３４が片側エミッタレス状態になっても点滅動作することはない。【選択図】    図１
2005216841.tif 000002
【特許請求の範囲】
【請求項１】
周波数可変形の高周波電圧を出力するインバータを備え、前記インバータは直流電源（１）を備え、順直列一対のスイッチング素子（４１・４２）を備え、前記スイッチング素子（４１・４２）をドライブする制御回路（２０）を備え、前記スイッチング素子（４１・４２）の接続交点に接続されるコンデンサ（３１）、バラスト用インダクタ（３２）、共振用コンデンサ（３３）からなる直列共振回路を備え、前記共振用コンデンサ（３３）に並列接続される蛍光ランプ（３４）を備え、
前記制御回路（２０）に接続される電源回路（１０）を備え、該電源回路（１０）は直流電源（１）の両端に接続される抵抗（１１）と定電圧ダイオード（１２）の直列回路の接続交点が接続され、前記スイッチング素子（４２）と並列接続されるコンデンサ（１７）とダイオード（１６）の直列回路を備え、前記コンデンサ（１７）とダイオード（１６）の接続交点と前記抵抗（１１）と定電圧ダイオード（１２）の接続交点の間にダイオード（１３）、抵抗（１４）、ダイオード（１５）から成る直列回路が接続され、
直流電源（１）の正極から抵抗（５１）、前記バラスト用インダクタ（３２）、前記蛍光ランプ（３４）の一方のフィラメントを介してフィラメント検知回路（６０）が接続され、直流電源（１）の正極から抵抗（５２）、前記蛍光ランプ（３４）の他方のフィラメントを介してフィラメント検知回路（７０）が接続され、
前記フィラメント検知回路（６０）は、蛍光ランプ（３４）の高圧側フィラメントに接続される抵抗（６１）とダイオード（６２）の直列回路を備え、前記ダイオード（６２）の陰極と前記直流電源（１）の負極に接続されるコンデンサ（６３）と抵抗（６４）を備え、前記ダイオード（６２）の陰極に接続される抵抗（６５）を備え、前記抵抗（６５）の他端にベースが接続されるＰＮＰトランジスタ（６６）を備え、該ＰＮＰトランジスタ（６６）のベース−エミッタ間に陰極がエミッタに接続されるダイオード（６７）を備え、前記ＰＮＰトランジスタ（６６）のエミッタは、前記抵抗（１１）と定電圧ダイオード（１２）の接続交点に接続され、
前記フィラメント検知回路（７０）は、蛍光ランプ（３４）の低圧側に接続される抵抗（７１）と抵抗（７５）の直列回路を備え、該抵抗（７１）と抵抗（７５）の接続交点に接続される抵抗（７２）を備え、該抵抗（７２）の他端にベースが接続されるＮＰＮトランジスタ（７３）を備え、該ＮＰＮトランジスタ（７３）のコレクタに接続される抵抗（７４）を備え、該抵抗（７４）の他端は、前記抵抗（１１）と定電圧ダイオード（１２）の接続交点に接続され、前記ＮＰＮトランジスタ（７３）のエミッタは直流電源（１）の負極に接続され、
また、前記ＰＮＰトランジスタ（６６）のコレクタは前記抵抗（７１）と抵抗（７２）の接続交点に接続され、前記ダイオード（１５）と抵抗（１４）の接続交点に陽極が接続され、前記抵抗（６５）とＰＮＰトランジスタ（６６）のベースの接続交点に陰極が接続されたダイオード（８０）を備えたことを特徴とする蛍光灯点灯装置。
【発明の詳細な説明】
【技術分野】
【０００１】  本発明は、蛍光灯点灯装置に関する。特にそのフィラメント検知回路に関する。
【背景技術】
【０００２】  従来の技術について図２を用いて説明する。図２の回路は、周波数可変形の高周波電圧を出力するインバータを備え、前記インバータは直流電源１を備え、順直列一対のスイッチング素子４１・４２を備え、前記スイッチング素子４１・４２をドライブする制御回路２０を備え、前記スイッチング素子４１・４２の接続交点に接続されるコンデンサ３１、バラスト用インダクタ３２、共振用コンデンサ３３からなる直列共振回路を備え、前記共振用コンデンサ３３に並列接続される蛍光ランプ３４を備える。
また、前記制御回路２０に接続される電源回路１０を備え、該電源回路１０は直流電源１の両端に接続される抵抗１１と定電圧ダイオード１２の直列回路の接続交点が接続される。更に前記スイッチング素子４２と並列接続されるコンデンサ１７とダイオード１６の直列回路を備え、前記コンデンサ１７とダイオード１６の接続交点と前記抵抗１１と定電圧ダイオード１２の接続交点の間にダイオード１３、抵抗１４、ダイオード１５から成る直列回路が接続される。
また、直流電源１の正極から抵抗５１、前記バラスト用インダクタ３２、前記蛍光ランプ３４の一方のフィラメントを介してフィラメント検知回路６０が接続される。更に、直流電源１の正極から抵抗５２、前記蛍光ランプ３４の他方のフィラメントを介してフィラメント検知回路７０が接続される。
前記フィラメント検知回路６０は、蛍光ランプ３４の高圧側フィラメントに接続される抵抗６１とダイオード６２の直列回路を備え、前記ダイオード６２の陰極と前記直流電源１の負極に接続されるコンデンサ６３と抵抗６４を備え、前記ダイオード６２の陰極に接続される抵抗６５を備え、前記抵抗６５の他端にベースが接続されるＰＮＰトランジスタ６６を備え、該ＰＮＰトランジスタ６６のベース−エミッタ間に陰極がエミッタに接続されるダイオード６７を備え、前記ＰＮＰトランジスタ６６のエミッタは、前記抵抗１１と定電圧ダイオード１２の接続交点に接続される。
前記フィラメント検知回路７０は、蛍光ランプ３４の低圧側に接続される抵抗７１と抵抗７５の直列回路を備え、該抵抗７１と抵抗７５の接続交点に接続される抵抗７２を備え、該抵抗７２の他端にベースが接続されるＮＰＮトランジスタ７３を備え、該ＮＰＮトランジスタ７３のコレクタに接続される抵抗７４を備え、該抵抗７４の他端は、前記抵抗１１と定電圧ダイオード１２の接続交点に接続され、前記ＮＰＮトランジスタ７３のエミッタは直流電源１の負極に接続される。また、前記ＰＮＰトランジスタ６６のコレクタは前記抵抗７１と抵抗７２の接続交点に接続される。
この回路において、直流電源１電圧を抵抗１１と定電圧ダイオード１２によって降圧した電圧が制御回路２０の電源電圧として印可される。次にインバータが動作すると、スイッチング素子４２のドレイン−ソース間電圧がコンデンサ１７を介して、ダイオード１５，１６で整流され抵抗１４、ダイオード１３を介して制御回路２０の補助電源電圧として印可される。
次にフィラメント検知回路６０の動作について説明する。通常点灯時は、蛍光ランプ３４管電圧が抵抗６１を介してダイオード６２、コンデンサ６３で整流、平滑され、抵抗６４に印可される。この時、抵抗６４電圧が制御回路２０の電源電圧より高くなるように抵抗６１、６４の定数設定をしておく。制御回路２０電源電圧＜抵抗６４電圧の条件下においてＰＮＰトランジスタ６６は動作しない。蛍光ランプ３４の高電圧側フィラメントが断線した場合、抵抗６１は回路から開放された状態となるため、抵抗６４に電圧は発生しない。制御回路２０電源電圧＞抵抗６４電圧となると、ＰＮＰトランジスタ６６がオンする。ＰＮＰトランジスタ６６がオンするとＮＰＮトランジスタ７３がオンとなり抵抗７４を介して制御回路２０電源電圧が降下しインバータの発振が停止する。
次にフィラメント検知回路７０の動作について説明する。抵抗７１には蛍光ランプ３４のフィラメント電圧が印可される。この時、抵抗７１と抵抗７５の分圧電圧がＮＰＮトランジスタ７３のオン電圧より低くなるように定数設定をしておくと、ＮＰＮトランジスタ７３は動作しない。蛍光ランプ３４の低電圧側フィラメントが断線した場合、直流電源１電圧が抵抗５２を介して抵抗７１と抵抗７５に印可される。この時抵抗７１と抵抗７５の分圧電圧はＮＰＮトランジスタ７３をオンさせるに十分な電圧が発生し、ＮＰＮトランジスタ７３がオンする。このため、抵抗７４を介して制御回路２０電源電圧が降下しインバータの発振が停止する。
蛍光ランプ３４が寿命末期になり、低電圧側フィラメントのエミッションがなくなった場合（片側エミッタレス状態）、蛍光ランプ３４の高電圧側の電圧が通常点灯時より低下する。このため、抵抗６４電圧が制御回路２０電源電圧より低くなり、ＰＮＰトランジスタ６６、ＮＰＮトランジスタ７３がオンし、制御回路２０電圧が降下し、インバータが発振停止する。しかし、インバータが発振停止すると、直流電源１電圧が抵抗５１→バラストチョーク３２→蛍光ランプ３４のフィラメントを介して抵抗６４電圧が発生するため、ＰＮＰトランジスタ６６、ＮＰＮトランジスタ７３はＯＦＦする。このため、インバータは再度発振を開始する。以下、上記動作を繰り返し、点滅動作する。
【発明の開示】
【発明が解決しようとする課題】
【０００３】  本発明は、蛍光ランプ３４が片側エミッタレスの状態でも、点滅動作しないようにするものである。
【課題を解決するための手段】
【０００４】  本発明においては、前記ダイオード１５と抵抗１４の接続交点に陽極が接続され、前記抵抗６５とＰＮＰトランジスタ６６のベースの接続交点に陰極が接続されるダイオード８０を備える。
【発明の効果】
【０００５】  本発明によれば補助電源電圧をダイオード８０を介して、ＰＮＰトランジスタ６６に印可することにより蛍光ランプ３４が片側エミッタレス状態になっても点滅動作することはない。
これにより、管電圧検知回路を接続することにより片側エミッタレスランプの状態を確実に検知しインバータの発振を停止することができる。
【発明を実施するための最良の形態】
【０００６】  図１を用いて本発明の実施例を示す。従来の技術と同一部分は説明を省略する。図１は前記ダイオード１５と抵抗１４の接続交点に陽極が接続され、前記抵抗６５とＰＮＰトランジスタ６６のベースの接続交点に陰極が接続されるダイオード８０を備えることにより、インバータ発振中はコンデンサ１７、ダイオード１５，１６からなる補助電源電圧がダイオード８０、抵抗６５を介してＰＮＰトランジスタ６６に印可される。このため、蛍光ランプ３４が片側エミッタレスランプの状態になって抵抗６４電圧が低下してもＰＮＰトランジスタ６６が動作することはない。
蛍光ランプ３４の高電圧側フィラメントが断線の場合は、フィラメントを介して電流が流れなくなるため、補助電源電圧が制御回路２０電源電圧よりも低下するため、ＰＮＰトランジスタ６６、ＮＰＮトランジスタ７３がオンし、抵抗７４を介して制御回路２０電源電圧が降下しインバータの発振が停止する。これにより、蛍光ランプ３４が片側エミッタレスランプの状態になった場合においても、点滅動作に陥ることはない。
【図面の簡単な説明】
【図１】本発明装置の回路図である。
【図２】従来装置の回路図である。
【符号の説明】
１  直流電源
１０  電源回路
２０  制御回路
３１  コンデンサ
３２  バラスト用インダクタ
３３  共振用コンデンサ
３４  蛍光ランプ
４１・４２  スイッチング素子
６０・７０  フィラメント検知回路
８０  逆阻止ダイオード
【図１】
2005216841.tif 000003
【図２】
2005216841.tif 000004